(57)【要約】【課題】ＧＰＳと、電子式方位計と、方位指示体モジュールを有し、方位指示がリアルで見易く精度よい、より高いナビゲーション性能を持つ、携帯端末機器のナビゲーション装置を提供することにある。【解決手段】前記ナビゲーション装置はＧＰＳと、電子式方位計と、回転中心軸の回りに回転自在の方位指示体からなる方位指示体モジュールを有し、該方位指示体モジュールはナビゲーションに用いるナビゲーション地図が表示される液晶表示パネルからなる液晶表示パネルモジュールと透明なフレーム間に配置され、該方位指示体は方位磁石と該方位磁石方向に少なくとも１個の磁北マーク窓を有する平板状のリングから構成され、前記ナビゲーション装置は前記電子式方位計が計測した磁北のマークを前記磁北マーク窓から見える前記液晶表示パネル上の位置に表示する。【選択図】        図１
2006250891.tif 000002
【特許請求の範囲】
【請求項１】
携帯端末機器のナビゲーション装置において、該ナビゲーション装置はＧＰＳと、電子式方位計と、回転中心軸の回りに回転自在の方位指示体からなる方位指示体モジュールを有し、該方位指示体モジュールはナビゲーションに用いるナビゲーション地図が表示される液晶表示パネルからなる液晶表示パネルモジュールと透明なフレーム間に配置される携帯端末機器のナビゲーション装置。
【請求項２】
前記方位指示体モジュールは、前記方位指示体の回転中心軸が前記電子式方位計が計測した磁北の前記液晶表示パネル上に表示されるマークの表示の回転中心に一致するように配置されることを特徴とする請求項１に記載の携帯端末機器のナビゲーション装置。
【請求項３】
前記方位指示体は非磁性の平板状のリングと、方位磁石によって構成され、該平板状のリングは方位磁石方向に少なくとも１個の磁北マーク窓を有し、前記ナビゲーション装置は前記電子式方位計が計測した磁北のマークを前記磁北マーク窓から見える前記液晶表示パネル上の位置に表示することを特徴とする請求項２に記載の携帯端末機器のナビゲーション装置。
【発明の詳細な説明】
【技術分野】
【０００１】
本発明は、ＧＰＳと、電子式方位計と、回転中心軸の回りに回転自在の方位指示体からなる方位指示体モジュールを有する携帯端末機器のナビゲーション装置に関する。
【背景技術】
【０００２】
図５に示す従来のナビゲーション地図を使って、特許文献１または非特許文献１に開示されている、従来の携帯端末機器のナビゲーション装置を詳しく説明する。近年、携帯端末機器において、人工衛星を利用したＧＰＳ（ｇｌｏｂａｌ  ｐｏｓｉｔｉｏｎｉｎｇ  ｓｙｓｔｅｍ）を使って測位して、現在地を表示したナビゲーション地図を液晶表示パネルモジュールの液晶表示パネルに表示する技術が確立されている。該ナビゲーション地図は前記ＧＰＳの測位の結果と、電子式方位計の計測によるユーザーの進行方向の方位に基づいて求めたユーザーの進行方向のナビゲーション地図であって、前記ＧＰＳの測位の結果求めた現在地と、電子式方位計の方位計測による液晶表示の方位磁石が左上に表示されている。ユーザーはこのナビゲーション地図から目的地を見つけ出し、ナビゲーション地図上の目の前の道路や建物を目を通して実際に確認することによって左上に表示された方位磁石を特に使わずに容易に目的地に到達できる。
【０００３】
一方、前記電子式方位計の代わりに、携帯端末機器に方位磁石付のストラップを取り付けた従来例が特許文献２に開示されており、この方位磁石の方位情報をこの方位磁石のコネクタを通して携帯端末機器に送りナビゲーション地図上に液晶表示の方位磁石を表示するようになっている（図省略）。
【０００４】
【特許文献１】特開２００３−１９９１４０
【特許文献２】特開２００３−２４４２９８
【非特許文献１】ＫＤＤＩ発売の携帯電話Ｃ３００３Ｐの取扱説明書
【発明の開示】
【発明が解決しようとする課題】
【０００５】
しかしながら、図５に示すナビゲーション地図のように現在地の目の前あるいは目の届く範囲に大きな道や特に目ぼしい建物が表示されている場合はよいが、そうでないときは、前記液晶表示の方位磁石が一番の頼りになる。しかし、現在のところ、前記ＧＰＳの測位精度は数十メートルであり、さらに、前記電子式方位計の方位精度は最悪でプラス１０度からマイナス１０度程度にまでなって、前記液晶表示の方位磁石が頼りの進行方向の精度も同様にプラス１０度からマイナス１０度程度になる。最悪では、現在地と目的地までが進行方向の直線上にあっても、距離が１ｋｍである場合に、前記液晶表示の方位磁石を頼りに進んだとき、到達点が目的地から最大で約１７４ｍもずれてしまい、目的地に容易には到達できない事態が発生する恐れがある。
【０００６】
一方、携帯端末機器に方位磁石付のストラップを取り付けた従来例では、方位磁石の方位情報を携帯端末機器に送るのに、その度に、方位磁石のコネクタを該携帯端末機器に接続しなければならない操作が必要であり、また、コネクタ付方位磁石がストラップに常時ついているので携帯端末機器を携帯するときに邪魔になる問題があった。
【課題を解決するための手段】
【０００７】
携帯端末機器のナビゲーション装置において、該ナビゲーション装置はＧＰＳと、電子式方位計と、回転中心軸の回りに回転自在の方位指示体からなる方位指示体モジュールを有し、該方位指示体モジュールはナビゲーションに用いるナビゲーション地図が表示される液晶表示パネルからなる液晶表示パネルモジュールと透明なフレーム間に配置されている。
【０００８】
前記方位指示体モジュールは、前記方位指示体の回転中心軸が前記電子式方位計が計測した磁北の前記液晶表示パネル上に表示されるマークの表示の回転中心に一致するように配置される。
【０００９】
前記方位指示体は非磁性の平板状のリングと、方位磁石によって構成され、該平板状のリングは方位磁石方向に少なくとも１個の磁北マーク窓を有し、前記ナビゲーション装置は前記電子式方位計が計測した磁北のマークを前記磁北マーク窓から見える前記液晶表示パネル上の位置に表示する。
【発明の効果】
【００１０】
現在地と目的地間に、前記ナビゲーション地図に大きな道や特に目ぼしい建物が表示されていなく、方位磁石だけを頼りに進む場合でも、電子式方位計よる磁北の液晶表示パネル上に表示されるマークで、まず、磁北を確認でき、さらに正確には、気温の変化や、時間平均した方位を見ることができるので交流磁界のノイズの影響を受けにくく、前記電子式方位計より、磁北の指示精度のよい方位指示体の方位磁石を見ながら進めるので、到達地と目的地間のずれを逐一確認し補正でき、より容易に目的地に到達できるようになる効果がある。
【発明を実施するための最良の形態】
【００１１】
以下、本発明の実施の形態を図面に基づいて詳述する。
【実施例１】
【００１２】
図２（ａ）、（ｂ）はそれぞれ本発明の方位指示体モジュールの平面図とそのＡ−Ａ断面透視図であって、該方位指示体モジュール１０は円筒形をした透明なケース５と、該透明なケース５に設けられた軸受５ａと５ｂで上下から支えられた回転中心軸４に固定される非磁性の平板状リング２と方位磁石３からなる回転自在の方位指示体から構成されており、該平板状リング２には方位磁石３の先端３ａに対向して磁北マーク窓３ａが明けられている。
【００１３】
図３は本発明の方位指示体モジュールの携帯端末機器への、携帯端末機器の液晶表示パネルモジュールを含む長手方向断面配置図であって、携帯端末機器３０は順に透明フレーム３１と、隙間３２を介して液晶表示パネル３３ａを上側に向けた液晶表示パネルモジュール３３と、電子回路モジュール３４と、フレーム３５を積層して形成されており、本発明の方位指示体モジュール１０は透明フレーム３１を通して見えるように前記隙間３２に透明フレーム３１側に固定されている。
【００１４】
次に、図４は本発明のナビゲーション地図であって、該ナビゲーション地図は、図５に示す従来のナビゲーション地図と同様に、前記ＧＰＳを使って測位した現在地を表示させたナビゲーション地図であるが、異なる点は電子式方位計が計測した磁北のマークの表示で、本発明においては、図３において、ユーザーから見て方位支持体モジュール１０は、その方位磁石３が電子式方位計が計測した磁北の液晶表示パネル３１上に表示されるマークに重なって見えるように、携帯端末機器３０に配置されている点である。該ナビゲーション地図上では方位指示体１のリング２はナビゲーション地図の背景色に着色されており、前記電子式方位計によって計測された磁北のマークは、該方位磁石３に対向してリング２に明けられた磁北マーク窓２ａを通してしか見ることができないが、該ナビゲーション地図では磁北のマークと前記静止した方位磁石３の指す磁北が一致したときの場合になっていて、磁北のマーク２ｂ（図１に示す）が方位磁石３の先端３ａに黒く見えている。
【００１５】
次に、図１に示す本発明のナビゲーション地図上の方位指示体の拡大動作図を使って、図４に示すナビゲーション地図での磁北の表示を詳しく説明する。ユーザーが液晶表示パネル３３ａを正面に向けて現在地を表示するナビゲーション地図を液晶表示パネル３３ａ上に表示する操作を行って、図４で示すナビゲーション地図が該液晶表示パネル３３ａに表示され、さらに、電子式方位計で計測された磁北のマーク２ｂも表示されても、前記方位磁石３は図（ａ）に示す位置にあり、該電子式方位計で計測された磁北のマークは前記方位指示体１のリング２に隠れてユーザーから見えない。次に、方位指示体１の回転中心軸４が電子式方位計が計測した磁北の液晶表示パネル３３ａ上に表示されたマーク２ｂの表示の回転中心に一致しているので、方位指示体１が時計回りして図（ｂ）に示す位置に来ると、電子式方位計で計測された磁北のマーク２ｂは前記磁北マーク窓２ａを通して見ることができ、さらに、方位指示体１が時計回りに回転して図（ｃ）に示す位置に来ると該電子式方位計で計測された磁北のマーク２ｂはユーザーの目に入らなくなり、該方位指示体１はこの位置から今度は反時計回りに回り出し、この動作を繰り返し減衰しながら、ついには、図４に示すように、方位磁石３は静止して磁北を指し、同時に、リング２に設けられた磁北マーク窓２ａから電子式方位計で計測された磁北のマーク２ｂが見える。
【００１６】
方位指示体１が動いている間は、ユーザーは方位指示体１のリング２に設けられた磁北マーク窓２ａを通して前記電子式方位計で計測された磁北のマーク２ｂを目の残像作用によって静的に確認でき、方位指示体１が静止したときは、方位磁石３の指す方向で磁北を知ることができ、方位指示体１が動くことによってリアルに方位を知ることができる効果がある。
【００１７】
図４に示すような大きな道路やめぼしい建物がナビゲーション地図上に表示されない場合はユーザーは方位磁石を頼りにしなければならないが、従来例で説明したように電子式方位計の計測精度はプラス１０度からマイナス１０度程度になることもあり、到達点が目的地からずれ、なかなか目的地に到達できないことが発生するが、本発明においては、よりよい精度を持つ静止した方位磁石３を見ることによってそのずれを補正できるのでその問題は起こりにくくなる。
【産業上の利用可能性】
【００１８】
以上の詳細な説明により示されたように、前記電子式方位計によって計測された磁北の液晶表示パネル３３ａ上に表示されるマーク２ｂと、前記の方位指示体モジュールによる方位磁石３を併用することによってナビゲーション地図上に目ぼしい物が見当たらない所で使ってもより高いナビゲーション性能を発揮できるナビゲーション装置を提供できる。
【図面の簡単な説明】
【００１９】
【図１】本発明のナビゲーション地図上の方位指示体の拡大動作図である。
【図２】本発明の方位指示体モジュールの平面図とそのＡ−Ａ断面透視図である。
【図３】本発明の方位指示体モジュールの携帯端末機器への、携帯端末機器の液晶表示パネルモジュールを含む長手方向断面配置図である。
【図４】本発明のナビゲーション地図である。
【図５】従来のナビゲーション地図である。
【符号の説明】
【００２０】
１  方位指示体
１０  方位指示体モジュール
２  リング
２ａ  磁北マーク窓
２ｂ  磁北のマーク
３  方位磁石
３０  携帯端末機器
３１  透明フレーム
３２  隙間
３３  液晶表示パネルモジュール
３３ａ  液晶表示パネル
３４  電子回路モジュール
３５  フレーム
４  回転中心軸
５  透明ケース
【図１】
2006250891.tif 000003
【図２】
2006250891.tif 000004
【図３】
2006250891.tif 000005
【図４】
2006250891.tif 000006
【図５】
2006250891.tif 000007